(57)【特許請求の範囲】
【請求項１】
移動局とユーザデータを送受信する際に前記ユーザデータを一時的に保持するデータ保持部と、
前記移動局が他の基地局にハードハンドオーバする場合に、前記データ保持部に保持された前記ユーザデータに対して、前記ハードハンドオーバにより前記他の基地局に転送される前記ユーザデータであることを示す転送識別子を付加する識別子付加部と、
前記転送識別子の付加された前記ユーザデータを、転送装置を介して前記他の基地局に転送するデータ転送部
とを備えることを特徴とする基地局。
【請求項２】
前記転送装置において、前記転送識別子の付加されている前記ユーザデータが、前記転送識別子の付加されていない通常のデータよりも優先的に前記他の基地局へ転送されることを特徴とする請求項１に記載の基地局。
【請求項３】
前記他の基地局の無線アクセス方式を判定する判定部と、
前記無線アクセス方式の判定結果に基づいて前記ユーザデータの転送優先度を決定する優先度決定部
とを更に備え、前記識別子付加部が、前記データ保持部に保持された前記ユーザデータに対して前記転送優先度に応じた前記転送識別子を付加することを特徴とする請求項１又は２に記載の基地局。
【請求項４】
前記ユーザデータがフレーム単位で前記他の基地局に転送され、前記転送識別子が前記フレームのヘッダに付加されることを特徴とする請求項１〜３のいずれか１項に記載の基地局。
【請求項５】
前記ユーザデータがパケット単位で前記他の基地局に転送され、前記転送識別子が前記パケットのヘッダに付加されることを特徴とする請求項１〜３のいずれか１項に記載の基地局。
【請求項６】
基地局に用いるデータ転送方法であって、
移動局とユーザデータを送受信する際に前記ユーザデータを一時的に保持するステップと、
前記移動局が他の基地局にハードハンドオーバする場合に、前記保持された前記ユーザデータに対して、前記ハードハンドオーバにより前記他の基地局に転送される前記ユーザデータであることを示す転送識別子を付加するステップと、
前記転送識別子の付加された前記ユーザデータを、転送装置を介して前記他の基地局に転送するステップ
とを含むことを特徴とするデータ転送方法。
【請求項７】
前記転送装置において、前記転送識別子の付加されている前記ユーザデータが、前記転送識別子の付加されていない通常のデータよりも優先的に前記他の基地局へ転送されることを特徴とする請求項６に記載のデータ転送方法。
【請求項８】
前記他の基地局の無線アクセス方式を判定するステップと、
前記無線アクセス方式の判定結果に基づいて前記ユーザデータの転送優先度を決定するステップ
とを更に含み、前記転送識別子を付加するステップにおいて、前記保持された前記ユーザデータに対して前記転送優先度に応じた前記転送識別子を付加することを特徴とする請求項６又は７に記載のデータ転送方法。
【請求項９】
前記ユーザデータがフレーム単位で前記他の基地局に転送され、前記転送識別子が前記フレームのヘッダに付加されることを特徴とする請求項６〜８のいずれか１項に記載のデータ転送方法。
【請求項１０】
前記ユーザデータがパケット単位で前記他の基地局に転送され、前記転送識別子が前記パケットのヘッダに付加されることを特徴とする請求項６〜８のいずれか１項に記載のデータ転送方法。
【発明の詳細な説明】
【技術分野】
【０００１】
本発明は基地局間におけるデータ転送技術に関し、特に移動局がハードハンドオーバを実行する際に基地局間データ転送を行う基地局及びデータ転送方法に関する。
【背景技術】
【０００２】
第３世代標準化機構（３ＧＰＰ）で議論が開始された次世代の無線アクセス・ネットワークのＥ−ＵＴＲＡＮ（Ｅｖｏｌｖｅｄ Ｕｎｉｖｅｒｓａｌ Ｔｅｒｒｅｓｔｒｉａｌ Ｒａｄｉｏ Ａｃｃｅｓｓ Ｎｅｔｗｏｒｋ）システムにおいては、基地局（セル）間のハンドオーバとして、ハードハンドオーバが用いることが提案されている。ハードハンドオーバでは、移動局は、ハードハンドオーバ元の基地局との無線リンクを切断してから、ハードハンドオーバ先の基地局との無線リンクを確立する。
【０００３】
したがって、ハードハンドオーバを用いることにより、ソフトハンドオーバを用いる場合と比較してシステムの複雑性を緩和できる。しかし、ハードハンドオーバでは、ハンドオーバ先の基地局から、ハンドオーバ元の基地局で保持されたままのユーザデータを受信できない。ハンドオーバ元の基地局が、ハンドオーバ先の基地局に対して、ユーザデータをパケット単位で転送する手法が知られている（例えば、非特許文献１参照。）。
【非特許文献１】“Ｆａｓｔ Ｈａｎｄｏｖｅｒｓ ｆｏｒ Ｍｏｂｉｌｅ ＩＰｖ６”，ＲＦＣ４０６８
【発明の開示】
【発明が解決しようとする課題】
【０００４】
しかしながら、通常のデータが伝送路上をトラフィックとして流れているため、データ通信を行いながらハンドオーバする移動局が複数存在する場合、通常のデータとハンドオーバ時に基地局間で転送されるユーザデータとによって伝送路の輻輳が発生する。伝送路の輻輳に起因して、ハンドオーバ時に転送されるユーザデータが欠落する恐れがある。この結果、ユーザデータが上位レイヤで再送されることになり、ユーザスループットが大幅に低下し、ハードハンドオーバ時に生じる瞬断時間が増加する可能性がある。
【０００５】
上記問題点を鑑み、本発明は、ハードハンドオーバ時に生じる瞬断時間を短縮可能な基地局及びデータ転送方法を提供する。
【課題を解決するための手段】
【０００６】
上記課題を解決するために、本発明の第１の特徴は、移動局とユーザデータを送受信する際にユーザデータを一時的に保持するデータ保持部と、移動局が他の基地局にハードハンドオーバする場合に、データ保持部に保持されたユーザデータに対して、ハードハンドオーバにより他の基地局に転送されるユーザデータであることを示す転送識別子を付加する識別子付加部と、転送識別子の付加されたユーザデータを、転送装置を介して他の基地局に転送するデータ転送部とを備える基地局であることを要旨とする。
【０００７】
第１の特徴に係る基地局においては、転送装置において、転送識別子の付加されているユーザデータが、転送識別子の付加されていない通常のデータよりも優先的に他の基地局へ転送されることが好ましい。
【０００８】
第１の特徴に係る基地局においては、他の基地局の無線アクセス方式を判定する判定部と、無線アクセス方式の判定結果に基づいてユーザデータの転送優先度を決定する優先度決定部とを更に備え、識別子付加部が、データ保持部に保持されたユーザデータに対して転送優先度に応じた転送識別子を付加することが好ましい。
【０００９】
第１の特徴に係る基地局においては、ユーザデータがフレーム単位で他の基地局に転送され、転送識別子がフレームのヘッダに付加されることが好ましい。
【００１０】
第１の特徴に係るにおいては、ユーザデータがパケット単位で他の基地局に転送され、転送識別子がパケットのヘッダに付加されることが好ましい。
【００１１】
更に、本発明の第２の特徴は、基地局に用いるデータ転送方法であって、移動局とユーザデータを送受信する際にユーザデータを一時的に保持するステップと、移動局が他の基地局にハードハンドオーバする場合に、保持されたユーザデータに対して、ハードハンドオーバにより他の基地局に転送されるユーザデータであることを示す転送識別子を付加するステップと、転送識別子の付加されたユーザデータを、転送装置を介して他の基地局に転送するステップとを含むデータ転送方法であることを要旨とする。
【００１２】
第２の特徴に係るデータ転送方法においては、転送装置において、転送識別子の付加されているユーザデータが、転送識別子の付加されていない通常のデータよりも優先的に他の基地局へ転送されることが好ましい。
【００１３】
第２の特徴に係るデータ転送方法においては、他の基地局の無線アクセス方式を判定するステップと、無線アクセス方式の判定結果に基づいてユーザデータの転送優先度を決定するステップとを更に含み、転送識別子を付加するステップにおいて、保持されたユーザデータに対して転送優先度に応じた転送識別子を付加することが好ましい。
【００１４】
第２の特徴に係るデータ転送方法においては、ユーザデータがフレーム単位で他の基地局に転送され、転送識別子がフレームのヘッダに付加されることが好ましい。
【００１５】
第２の特徴に係るデータ転送方法においては、ユーザデータがパケット単位で他の基地局に転送され、転送識別子がパケットのヘッダに付加されることが好ましい。
【発明の効果】
【００１６】
本発明によれば、ハードハンドオーバ時に生じる瞬断時間を短縮可能な基地局及びデータ転送方法を提供できる。
【発明を実施するための最良の形態】
【００１７】
次に、図面を参照して、本発明の実施形態を説明する。以下の実施形態における図面の記載において、同一又は類似の部分には同一又は類似の符号を付している。
【００１８】
本発明の実施形態に係る移動通信システムは、図１に示すように、移動局ＵＥと、複数の基地局１１ａ〜１４ａと、転送装置（レイヤ２スイッチ２１）と、アクセスゲートウェイＡＧとを備える。図１においては転送装置としてレイヤ２スイッチ２１が使用されている。一例として、基地局１１ａ〜１４ａ及びアクセスゲートウェイＡＧはレイヤ２スイッチ２１を中心としたスター型に接続され、各基地局がレイヤ２スイッチ２１を介して他の基地局とデータ転送可能な構成としている。アクセスゲートウェイＡＧは図示を省略するコアネットワークに接続される。また、基地局１１ａ〜１４ａがセルＣ１〜Ｃ４をそれぞれ構成している。尚、各基地局が指向性を有する複数のアンテナを有し、各セル内で複数のセクタが構成されていても良い。
【００１９】
移動局ＵＥはハンドオーバとしてハードハンドオーバを実行する。「ハードハンドオーバ」とは、移動局ＵＥが、セルＣ１からセルＣ２に移動する際に、ハンドオーバ元の基地局との無線リンクを切断してから、ハンドオーバ先の基地局との無線リンクを確立するハンドオーバを意味する。即ちハードハンドオーバでは、移動局ＵＥは、常に１つの基地局のみとユーザデータの送受信を行う。
【００２０】
基地局１１ａ〜１４ａのうちの２つの基地局間では、移動局ＵＥがハードハンドオーバ（以下、単に「ハンドオーバ」という。）する際に、ハンドオーバ元の基地局内に保持されているユーザデータをハンドオーバ先の基地局に転送可能な伝送経路が設定される。具体的には、ハンドオーバ元の基地局が、ハンドオーバ先の基地局のアドレスを指定することで、レイヤ２スイッチ２１を介したユーザデータのデータ転送が実現される。尚、図１に示す例においては、移動局ＵＥが、基地局１１ａのセルＣ１側から基地局１２ａのセルＣ２側に移動し、基地局１１ａがハンドオーバ元の基地局であり、基地局１２ａがハンドオーバ先の基地局としている。
【００２１】
基地局１１ａは、図２に示すように、無線通信部１１１、制御部１１４、転送スケジューラ１１５、識別子付加部１１６、レイヤ１処理部１１７、データ転送部１１８、及びデータ保持部１１９を備える。データ保持部１１９は、移動局ＵＥとユーザデータを送受信する際にユーザデータを一時的に保持する。識別子付加部１１６は、移動局ＵＥがハンドオーバ先の基地局１２ａにハンドオーバする場合に、データ保持部１１９に保持されたユーザデータに対して、ハンドオーバによりハンドオーバ先の基地局１２ａに転送されるユーザデータであることを示す転送識別子を付加する。ここで、「ハンドオーバによりハンドオーバ先の基地局に転送されるユーザデータ」とは、例えば、ハンドオーバ元の基地局において、移動局ＵＥに対して未送信の下りユーザデータ、再送中の下りユーザデータ等を意味する。データ転送部１１８は、転送識別子の付加されたユーザデータを、レイヤ２スイッチ２１を介してハンドオーバ先の基地局１２ａに転送する。無線通信部１１１、制御部１１４、レイヤ１処理部１１７、及び転送スケジューラ１１５の各機能については後述する。図１に示す基地局１２ａ〜１４ａは図２に示す基地局１１ａと同様の構成を有する。
【００２２】
レイヤ２スイッチ２１は、基地局１１ａからの転送識別子の付加されているユーザデータを、基地局１２ａ〜１４ａからの転送識別子の付加されていない通常のデータよりも優先的に基地局１２ａへ転送する。一例として、基地局１１ａからレイヤ２スイッチ２１を介して基地局１２ａに至る第１伝送経路、基地局１３ａからレイヤ２スイッチ２１を介して基地局１２ａに至る第２伝送経路、及び基地局１４ａからレイヤ２スイッチ２１を介して基地局１２ａに至る第３伝送経路を仮定する。第１伝送経路上では転送識別子の付加されているユーザデータが伝送され、第２及び第３伝送経路上では転送識別子の付加されていない通常のデータが伝送されている場合、レイヤ２スイッチ２１は、第１伝送経路上のユーザデータを優先的に基地局１２ａに転送する。第１伝送経路上のユーザデータが優先的に基地局１２ａに転送される期間では、第２及び第３伝送経路上では転送識別子の付加されていない通常のデータは、例えばレイヤ２スイッチ２１内のバッファ（図示省略）に保持される。このようにして、ハンドオーバ時に基地局間で転送されるユーザデータを優先して転送可能な移動通信システムが実現される。
【００２３】
更に、データ転送部１１８は、図３に示すように、ユーザデータをフレーム単位でハンドオーバ先の基地局１２ａに転送する。識別子付加部１１６のレイヤ２処理部１１６１は、転送識別子をレイヤ２フレームヘッダに付加する。レイヤ２処理部１１６１で処理されたユーザデータはレイヤ１処理部１１７で更に処理されてデータ転送部この場合、イーサネット（登録商標）の仮想ローカル・エリア・ネットワーク（ＶＬＡＮ）機能を利用できる。即ち、転送識別子を付加するフィールドとして、ＶＬＡＮタグ内のクラス・オブ・サービス（ＣｏＳ）フィールドを利用できる。したがって、既存のレイヤ２スイッチ２１を用いて、レイヤ２フレームヘッダにおける転送識別子の検出、及び転送識別子を有するフレームの優先転送が実行可能である。
【００２４】
また、図１に示す基地局１１ａが移動局ＵＥから受信した上りユーザデータは、図２に示すデータ保持部１１９の上りリンクユーザデータバッファ１１３に一時的に保持される。これに対して基地局１１ａがネットワーク側から受信した下りユーザデータは、データ転送部１１８を介してデータ保持部１１９の転送データバッファ１１２に一時的に保持される。
【００２５】
転送スケジューラ１１５は、データ保持部１１９に保持されたユーザデータをネットワーク側に転送する際の転送順序を決定する。
【００２６】
制御部１１４は、基地局１１ａ全体の動作を制御する。詳細には制御部１１４は、ハンドオーバ制御部１３０、転送順序制御部１３１、再送制御部１３２、判定部１３３、及び優先度決定部１３４を備える。ハンドオーバ制御部１３０はハードハンドオーバ動作を制御する。転送順序制御部１３１は、転送対象となるユーザデータの種類等のＱｏＳ情報に基づいて、転送スケジューラ１１５を制御する。ここで、「ユーザデータの種類」としては、ユーザデータの内容（会話データ、ストリーミングデータ、対話型データ、バックグラウンドデータ等）、ユーザデータの送受信先、及びユーザデータの方向（上り、下り）のうち少なくとも１つが利用できる。再送制御部１３２は、ユーザデータの欠落を補償するための再送制御を行う。移動局ＵＥとの間の再送制御によって送達確認のとれたユーザデータは、転送データバッファ１１２から削除される。
【００２７】
判定部１３３は、ハンドオーバ先の基地局１２ａの無線アクセス方式を判定する。優先度決定部１３４は、無線アクセス方式の判定結果に基づいてユーザデータの転送優先度を決定する。無線アクセス方式の切り替えを伴うハンドオーバ時には、同一の無線アクセス方式内でのハンドオーバと比較してハンドオーバに要する時間が増大する。よって、無線アクセス方式の切り替えを伴うハンドオーバ時には優先度高、同一の無線アクセス方式内でのハンドオーバ時には優先度低とそれぞれ決定される。
【００２８】
この結果、レイヤ２スイッチ２１に対して、転送識別子の付加されたユーザデータが異なる基地局から複数転送される場合において、優先度高と設定された転送識別子の付加されたユーザデータを優先して転送先の基地局１２ａに転送する。したがって、転送識別子の付加されたユーザデータ間でも優先度付けを行うことができる。
【００２９】
以下に、図４に示すシーケンス図を参照して、図１に示す移動局ＵＥ、基地局１１ａ、基地局１２ａ、及びレイヤ２スイッチ２１のハンドオーバ時における動作を説明する。尚、ハンドオーバ開始前には、移動局ＵＥが、ハンドオーバ元の基地局１１ａ及びレイヤ２スイッチ２１を介して、アクセスゲートウェイＡＧとユーザデータを送受信している一例について説明する。
【００３０】
先ず図４のステップＳ１において、ハンドオーバ元の基地局１１ａが適切なハンドオーバ先の基地局（セル）を選択できるように、移動局ＵＥは周辺セルサーチを行う。移動局ＵＥは、周辺セルサーチの結果に応じて、ハンドオーバ先の候補となる基地局の情報を基地局１１ａにメジャメント報告として送信する。
【００３１】
次にステップＳ２において、ハンドオーバ元の基地局１１ａは、移動局ＵＥからのメジャメント報告を元に、ハンドオーバを開始する必要があるかを判定する。ハンドオーバを開始する必要があると判定した場合、リソースの空き状況等に応じてハンドオーバ先の候補となる基地局のうち適切な基地局が選択される。
【００３２】
ステップＳ３において、ハンドオーバ元の基地局１１ａは、ハンドオーバ要求及びＱｏＳ情報等を含むコンテキストをレイヤ２スイッチ２１を介して基地局１２ａへ転送する。
【００３３】
ステップＳ４では、ハンドオーバ元の基地局１１ａから転送されたＱｏＳ情報を元に、ハンドオーバ先の基地局が、移動局ＵＥのためのリソースの割り当て及び予約をする。移動局ＵＥのための必要なリソースの予約の可否が判断されると、ステップＳ５に移行する。
【００３４】
ステップＳ５において、ハンドオーバ先の基地局１２ａは、ハンドオーバ元の基地局１１ａに対して、リソースの予約が成功したか否かをレイヤ２スイッチ２１を介して通知する。同時に、ハンドオーバ先の基地局１２ａの無線アクセス方式等の情報が得られる。リソースの予約が可能であると通知された場合、基地局１１ａは、基地局をハンドオーバ先の基地局として決定する。これに対してリソースの予約が不可能であると通知された場合、ステップＳ３に戻り、基地局１１ａが、移動局ＵＥからのメジャメント報告に含まれる他の基地局に対してハンドオーバ要求の動作を行う。尚、ハンドオーバ先の基地局１２ａが、ハンドオーバ元の基地局１１ａに無線アクセス方式を通知する場合に限らず、アクセスゲートウェイＡＧ又はコアネットワークが、ハンドオーバ先の基地局１２ａの無線アクセス方式を通知しても構わない。
【００３５】
ステップＳ６において、ハンドオーバ元の基地局１１ａは、ハンドオーバ先の基地局１２ａに転送すべきユーザデータに対して、上述した転送識別子を付加する。
【００３６】
ステップＳ７において、ハンドオーバ元の基地局１１ａは、ハンドオーバ先の基地局１２ａからハンドオーバの事前準備の完了の報告を受けた後に、ユーザデータの転送を開始する。
【００３７】
ステップＳ８において、レイヤ２スイッチ２１は、ユーザデータの各フレームのヘッダに付加された転送識別子を検出し、転送識別子の付加されたフレームを優先的にハンドオーバ先の基地局１２ａに転送する。
【００３８】
ステップＳ９において、ハンドオーバ元の基地局１１ａは、移動局ＵＥがハンドオーバ先の基地局１２ａと無線回線を再設定するのに必要な情報を通知する。
【００３９】
ステップＳ１０において、移動局ＵＥは、ハンドオーバ先の基地局１２ａと無線同期を確立し、無線チャネルを設定する。
【００４０】
ステップＳ１１において、移動局ＵＥは、ハンドオーバ先の基地局１２ａとの無線チャネルの設定後、ハンドオーバ先の基地局１２ａに対してハンドオーバが完了したことを通知する。
【００４１】
ステップＳ１２において、ハンドオーバ先の基地局１２ａは、アクセスゲートウェイＡＧにパス更新リクエストを送信する。アクセスゲートウェイＡＧは、デスティネーションのアドレスをハンドオーバ元の基地局１１ａからハンドオーバ先の基地局１２ａへパス更新を実行する。
【００４２】
ステップＳ１３で、アクセスゲートウェイＡＧは、ハンドオーバ元の基地局１１ａとのシグナリングをリリースする。
【００４３】
次に、図５に示すフローチャートを参照して、図４のステップＳ６に示した転送識別子付加処理の処理手順例について説明する。
【００４４】
先ずステップＳ６１において、図２に示す制御部１１４は、ハンドオーバ先の基地局１２ａの無線アクセス方式を判定する。無線アクセス方式の判定は、図４のステップＳ５に示すコンテキスト転送応答の内容に基づいて行われる。
【００４５】
ステップＳ６２において、優先度決定部１３４は、ステップＳ６１の結果に基づいてユーザデータの転送優先度を決定する。
【００４６】
ステップＳ６３において、識別子付加部１１６は、データ保持部１１９に保持されたユーザデータに対して、ステップＳ６２で決定された転送優先度に応じた転送識別子を付加する。
【００４７】
以上詳細に説明したように、本発明の実施形態によれば、ハンドオーバ時に基地局間で転送されるユーザデータと、通常のデータとをレイヤ２スイッチ２１が識別できる。よって、伝送路が輻輳していても、ハンドオーバ時に基地局間で転送されるユーザデータを優先的に転送することが可能となる。したがって、ハンドオーバ時に基地局間で転送されるユーザデータの損失を大幅に低減可能となり、且つ移動局ＵＥにおける瞬断時間を大幅に短縮できる。
【００４８】
（変形例）
上述した実施形態においては、ハンドオーバ時おけるユーザデータの転送を、レイヤ２プロトコルを用いて実現する一例を説明したが、本発明の実施形態の変形例として、レイヤ３プロトコルを用いる場合について説明する。本発明の実施形態の変形例に係る移動通信システムは、図６に示すように、転送装置として複数のルータ３１，３２，・・・を使用している点が、転送装置としてレイヤ２スイッチ２１を使用する図１と異なる。転送対象のユーザデータは、各ルータ３１，３２，・・・のＩＰルーティングによりユーザデータを転送する。また、図６に示す例においては、移動局ＵＥが、基地局１１ｂのセルＣ１側から基地局１２ｂのセルＣ２側に移動し、基地局１１ｂがハンドオーバ元の基地局であり、基地局１２ｂがハンドオーバ先の基地局であるとしている。
【００４９】
基地局１１ｂは、図７に示すように、識別子付加部１１６がレイヤ３処理部１１６２を備えている点が、図２に示した基地局１１ａの構成と異なる。即ち、図８に示すように、ユーザデータがパケット単位でハンドオーバ先の基地局１２ｂに転送され、レイヤ３処理部１１６２によって、転送識別子がパケットのヘッダに付加される。この場合、転送するユーザデータにＴＣＰ／ＩＰ又はＵＤＰ／ＩＰ等のレイヤ３カプセリングを行い、レイヤ３フレームヘッダ（例えば、ＤｉｆｆＳｅｒｖコード・ポイント（ＤＳＣＰ））に転送識別子が付加される。したがって、既存のルータを用いて、転送識別子の検出及び転送識別子を有するＩＰパケットの優先転送が実行可能である。
【００５０】
このように、本発明の実施形態の変形例によれば、ハンドオーバ時に基地局間で転送されるユーザデータと、通常のデータとを伝送経路、即ちルータ等の転送装置において識別可能な移動通信システム及び移動通信方法を提供できる。更に、複雑な伝送経路上においても、ハンドオーバ時に基地局間で転送されるユーザデータに優先度付けを行うことが可能となる。
【００５１】
（その他の実施形態）
上記のように、本発明は実施形態によって記載したが、この開示の一部をなす論述及び図面はこの発明を限定するものであると理解すべきではない。この開示から当業者には様々な代替実施形態、実施例及び運用技術が明らかとなる。
【００５２】
上述した実施形態に係る移動通信システムは、例えば高速パケット通信システムである「ＨＳＤＰＡ（Ｈｉｇｈ Ｓｐｅｅｄ Ｄｏｗｎｌｉｎｋ Ｐａｃｋｅｔ Ａｃｃｅｓｓ）」や「ＨＳＵＰＡ（Ｈｉｇｈ Ｓｐｅｅｄ Ｕｐｌｉｎｋ Ｐａｃｋｅｔ Ａｃｃｅｓｓ）」に適応可能である。
【００５３】
転送識別子に対する優先度決定の基準として、ハンドオーバ時に用いられる基地局間の無線アクセス方式の一致・不一致を使用する一例を説明した。しかしながら、優先度を決定する基準は無線アクセス方式に限定されるものではない。例えば、転送識別子に対する優先度決定の基準として、既に述べたユーザデータの種類を利用可能である。同一セル内に複数の移動局ＵＥが存在する場合、基地局１１ａにおける移動局ＵＥ毎のデータ保持量、又は各移動局ＵＥの移動速度等を、転送識別子に対する優先度決定の基準として利用しても良い。
【００５４】
このように本発明は、ここでは記載していない様々な実施形態等を包含するということを理解すべきである。したがって、本発明はこの開示から妥当な特許請求の範囲の発明特定事項によってのみ限定されるものである。
【図面の簡単な説明】
【００５５】
【図１】本発明の実施形態に係る移動通信システムの構成例を示す図である。
【図２】本発明の実施形態に係る基地局の構成例を示す図である。
【図３】本発明の実施形態に係る基地局間で転送されるフレームの一例を示す模式図である。
【図４】本発明の実施形態に係るデータ転送方法の手順例を示すシーケンス図である。
【図５】本発明の実施形態に係る基地局の動作例を示すフローチャートである。
【図６】本発明の実施形態の変形例に係る移動通信システムの構成例を示す図である。
【図７】本発明の実施形態の変形例に係る基地局の構成例を示す図である。
【図８】本発明の実施形態の変形例に係る基地局間で転送されるパケットの一例を示す模式図である。
【符号の説明】
【００５６】
ＡＧ…アクセスゲートウェイ
Ｃ１〜Ｃ４…セル
ＵＥ…移動局
１１ａ〜１４ａ，１１ｂ，１２ｂ…基地局
２１…レイヤ２スイッチ
３１，３２，・・・  …ルータ
１１１…無線通信部
１１２…転送データバッファ
１１３…リンクユーザデータバッファ
１１４…制御部
１１５…転送スケジューラ
１１６…識別子付加部
１１７…レイヤ１処理部
１１８…データ転送部
１１９…データ保持部
１３０…ハンドオーバ制御部
１３１…転送順序制御部
１３２…再送制御部
１３３…判定部
１３４…優先度決定部
１１６１…レイヤ２処理部
１１６２…レイヤ３処理部
【図１】
0004628254.tif 000002
【図２】
0004628254.tif 000003
【図３】
0004628254.tif 000004
【図４】
0004628254.tif 000005
【図５】
0004628254.tif 000006
【図６】
0004628254.tif 000007
【図７】
0004628254.tif 000008
【図８】
0004628254.tif 000009